(57)【要約】  【課題】  インターバル記録では、似たような画像が多数枚記録されるため、動きのない画像が長時間続き、記録媒体の記録容量が無駄になる。  【解決手段】  記録と記録との間に一定のインターバル時間を設けるようにしたインターバル記録を行う際に、前回記録すると判断した画像と今回一時記憶した画像とを比較し、比較する画像どうしの変化量である差分値が、所定値１よりも大きくかつ所定値２よりもほぼ小さい場合にのみ記録すると判断して記録を実行することにより、前回記録と今回記録との間で画像の変化量が略所定の範囲に収まるようにし、似たような画像の記録をなくして記録媒体の記録容量の無駄をなくする。  【選択図】  図２
2005328404.tif 000002
【特許請求の範囲】
【請求項１】
被写体を記録媒体に記録することを繰り返し、記録と記録との間にインターバル時間を設けるようにした記録方法において、
画像を一定のインターバル時間毎に一時記憶し、その後に該画像を記録するか否かの判断を行い、該判断は、前回記録すると判断した画像と今回一時記憶した画像とを比較し、該比較する画像どうしの間に所定の変化があった場合にのみ記録すると判断することにより、
前記被写体に所定の変化のあった画像のみを記録して、前記記録媒体の使用容量を節約したことを特徴とする記録方法。
【請求項２】
請求項１に記載の記録方法において、前記所定の変化があった画像のみを記録するために、前回記録すると判断した画像と今回一時記憶した画像との差分値が所定値１よりも小さい場合は削除し、かつ所定値２よりも大きい場合は、その後は前記インターバル時間を短くして一時記憶することを特徴とする記録方法。
【請求項３】
請求項２に記載の記録方法において、前記差分値は、比較する夫々の画像を複数のブロックに分割し、夫々の画像の対応するブロックどうしを比較したときに、一致しないブロックの数で表示することを特徴とする記録方法。
【請求項４】
請求項２または３に記載の記録方法において、前記所定値１の値は、被写体に応じて予め準備してあることを特徴とする記録方法。
【請求項５】
請求項２〜４に記載の記録方法において、前記削除する画像の最大枚数を規定値として予め設定しておき、削除した画像の枚数が前記規定値を越えた場合には、その後は前記インターバル時間を長くして一時記憶を行い、かつこれまでの削除枚数をクリアすることを特徴とする記録方法。
【請求項６】
請求項１〜５のいずれかに記載の記録方法において、今回記録すると判断した画像が２枚目以降である場合において、前回記録すると判断した画像と今回記録すると判断した画像とのインターバル時間を、前回記録すると判断した画像に記録することを特徴とする記録方法。
【請求項７】
請求項１〜６のいずれかに記載の記録方法において、一時記憶後に記録すると判断された画像が所定枚数に至ったら、夫々の画像を記録媒体に一括して記録することを特徴とする記録方法。
【請求項８】
被写体を撮像するビデオカメラと、
該ビデオカメラからの画像信号を、インターバル時間毎に間欠的に一時記憶する一時記憶部と、
該一時記憶部に記憶された画像を出力して記録する記録部と、
インターバル時間毎に指令を出すことにより、前記ビデオカメラの画像を前記一時記憶部に記憶させ、該一時記憶部に記憶された画像を読み出し、前回記録すると判断した画像と今回一時記憶した画像との比較解析を行って、比較する画像どうしの間に所定の変化があった場合にのみ、今回一時記憶した画像を前記記録部に記録させるように制御する制御部と、
を有することを特徴とする記録装置。
【請求項９】
請求項８に記載の記録装置において、前記所定の変化があった場合のみ記録させるために、比較する画像どうしの差分値が所定値１よりも小さい場合は画像を削除し、かつ所定値２よりも大きい場合は、その後は前記インターバル時間を短くして一時記憶することを特徴とする記録装置。
【請求項１０】
請求項８又は９に記載の記録装置において、前記制御部には、前記インターバル時間と、前記所定値１と、前記所定値２とが設定されることを特徴とする記録装置。
【請求項１１】
請求項８〜１０のいずれかに記載の記録装置において、前記記録部に用いる記録媒体を、ハードディスクとしたことを特徴とする記録装置。
【請求項１２】
請求項８〜１０のいずれかに記載の記録装置において、前記記録部に用いる記録媒体を、着脱可能な半導体メモリとしたことを特徴とする記録装置。
【請求項１３】
請求項８〜１０のいずれかに記載の記録装置において、前記記録部に用いる記録媒体を、磁気テープとしたことを特徴とする記録装置。
【請求項１４】
請求項１〜７のいずれかに記載の記録方法で記録された複数の画像を、所定の要件下で再生することを特徴とする再生方法。
【請求項１５】
請求項１４に記載の再生方法において、夫々の前記画像を、記録時の順番に一定時間ずつ再生して動画としたことを特徴とする再生方法。
【請求項１６】
請求項１４に記載の再生方法において、夫々の前記画像を、記録時の順番に現実のインターバル時間ずつ再生して動画としたことを特徴とする再生方法。
【請求項１７】
請求項１４に記載の再生方法において、夫々の前記画像を、静止画として再生することを特徴とする再生方法。
【請求項１８】
請求項１６に記載の再生方法において、前記現実のインターバル時間は、再生する画像から読み取ることを特徴とする再生方法。
【発明の詳細な説明】
【技術分野】
【０００１】
本発明は、記録及び／又は再生方法と、これらの方法に用いる記録及び／又は再生装置に関する。
【背景技術】
【０００２】
ビデオカメラの利用方法として、ごく短い時間撮影することを間欠的に繰り返すインターバル記録がある。例えば花の開花状態，雲の動き，砂丘の変化などのように緩慢に動きが進行する対象物を撮影する場合には、ＣＣＤカメラによる連続した撮像画像を一定のインターバル時間毎に間欠的に静止画として記録する作業を繰り返し、この記録した画像を連続して再生することにより、対象物の動作遷移を早回しで見ることができる。
【０００３】
このようなインターバル記録を行う従来の記録方法及び記録装置として、特許文献１に記載のものがある。この発明は、記録媒体に対する記録機構への負担をかけずに記録を行うものである。
【特許文献１】特開２００３−９０５３号公報
【発明の開示】
【発明が解決しようとする課題】
【０００４】
ところが、このようなインターバル記録では、花の開花状態などを記録した場合は、似たような画像が複数枚記録されるため、動きのない画像が長時間続いてしまい、記録媒体の記録容量が無駄になってしまう。また、再生時には、よく似た複数の画像の中から花の開花のような特異な変化のあった画像を探し出すことが必要になる場合があり、そのような場合には手間がかかるという問題がある。
【０００５】
そこで本発明は、上記の課題を解決した記録方法及び記録装置と再生方法を提供することを目的とする。
【課題を解決するための手段】
【０００６】
請求項１に係る発明は、被写体を記録媒体に記録することを繰り返し、記録と記録との間にインターバル時間を設けるようにした記録方法において、画像を一定のインターバル時間毎に一時記憶し、その後に該画像を記録するか否かの判断を行い、該判断は、前回記録すると判断した画像と今回一時記憶した画像とを比較し、該比較する画像どうしの間に所定の変化があった場合にのみ記録すると判断することにより、前記被写体に所定の変化のあった画像のみを記録して、前記記録媒体の使用容量を節約したことを特徴とする。
【０００７】
このような記録方法では、前回記録すると判断した画像と今回一時記憶した画像との間に所定の変化があった場合にのみ記録すると判断するので、変化量がある程度大きい場合にのみを記録することになり、前回記録すると判断した画像に対して変化量の少ない画像は記録されず、記録媒体の使用容量の無駄がない。
【０００８】
請求項２に係る発明は、請求項１に記載の記録方法において、前記所定の変化があった画像のみを記録するために、前回記録すると判断した画像と今回一時記憶した画像との差分値が所定値１よりも小さい場合は削除し、かつ所定値２よりも大きい場合は、その後は前記インターバル時間を短くして一時記憶することを特徴とする。
【０００９】
このような記録方法では、前回記録すると判断した画像と今回一時記憶した画像との差分値が、ほぼ所定値１と所定値２との間にある場合にのみ、記録されることになる。
【００１０】
請求項３に係る発明は、請求項２に記載の記録方法において、前記差分値は、比較する夫々の画像を複数のブロックに分割し、夫々の画像の対応するブロックどうしを比較したときに、一致しないブロックの数で表示することを特徴とする。
【００１１】
このような記録方法では、比較する画像の対応するブロックどうしを比較し、一致しないブロックの数を数えるだけで差分値が算出されるので、差分値の算出が容易である。
【００１２】
請求項４に係る発明は、請求項２または３に記載の記録方法において、前記所定値１の値は、被写体に応じて予め準備してあることを特徴とする。
【００１３】
このような記録方法では、所定値１の値が被写体に応じて予め準備してあるので、所定値１の値を設定する際に、迷うことがない。
【００１４】
請求項５に係る発明は、請求項２〜４に記載の記録方法において、前記削除する画像の最大枚数を規定値として予め設定しておき、削除した画像の枚数が前記規定値を越えた場合には、その後は前記インターバル時間を長くして一時記憶を行い、かつこれまでの削除枚数をクリアすることを特徴とする。
【００１５】
このような記録方法では、画像に変化がないために削除される画像が多いことを意味するので、その後は画像の変化量がもっと大きくなるように、インターバル時間を長くして一時記憶が行われ、これまでの削除枚数がクリアされるので新たな画像の削除が可能になる。
【００１６】
請求項６に係る発明は、請求項１〜５のいずれかに記載の記録方法において、今回記録すると判断した画像が２枚目以降である場合において、前回記録すると判断した画像と今回記録すると判断した画像とのインターバル時間を、前回記録すると判断した画像に記録することを特徴とする。
【００１７】
このような記録方法では、今回記録すると判断された画像がのちに再生される際には、前回記録すると判断された画像が、前回記録された画像に記録されている現実のインターバル時間が経過後に再生が行われる。
【００１８】
請求項７に係る発明は、請求項１〜６のいずれかに記載の記録方法において、一時記憶後に記録すると判断された画像が所定枚数に至ったら、夫々の画像を記録媒体に一括して記録することを特徴とする。
【００１９】
このような記録方法では、一時記憶して記録すると判断された画像の数が、ある程度まとまってから一括して記録媒体に記録されるので、煩雑さが解消される。
【００２０】
請求項８に係る発明は、被写体を撮像するビデオカメラと、該ビデオカメラからの画像信号を、インターバル時間毎に間欠的に一時記憶する一時記憶部と、
該一時記憶部に記憶された画像を出力して記録する記録部と、インターバル時間毎に指令を出すことにより、前記ビデオカメラの画像を前記一時記憶部に記憶させ、該一時記憶部に記憶された画像を読み出し、前回記録すると判断した画像と今回一時記憶した画像との比較解析を行って、比較する画像どうしの間に所定の変化があった場合にのみ、今回一時記憶した画像を前記記録部に記録させるように制御する制御部と、を有することを特徴とする。
【００２１】
このような記録装置では、ビデオカメラから画像信号が流れ、制御部が指令することによりインターバル時間毎に一時記憶部に画像が記憶され、前回記録すると判断された画像と今回一時記憶した画像との比較解析を行い、比較する画像どうしの間に所定の変化がある場合にのみ、制御部が記録すると判断する。
【００２２】
請求項９に係る発明は、請求項８に記載の記録装置において、前記所定の変化があった場合のみ記録させるために、比較する画像どうしの差分値が所定値１よりも小さい場合は画像を削除し、かつ所定値２よりも大きい場合は、その後は前記インターバル時間を短くして一時記憶することを特徴とする。
【００２３】
このような記録装置では、比較する画像どうしの差分値が、ほぼ所定値１と所定値２との間にある場合にのみ、記録すると判断される。
【００２４】
請求項１０に係る発明は、請求項８又は９に記載の記録装置において、前記制御部には、前記インターバル時間と、前記所定値１と、前記所定値２とが設定されることを特徴とする。
【００２５】
このような記録装置では、制御部は、設定されたインターバル時間，所定値１，所定値２に基づいて制御する。
【００２６】
請求項１１に係る発明は、請求項８〜１０のいずれかに記載の記録装置において、前記記録部に用いる記録媒体を、ハードディスクとしたことを特徴とする。
【００２７】
このような記録装置では、一時記憶部に記憶されて記録すると判断された画像は、ハードディスクに記録される。
【００２８】
請求項１２に係る発明は、請求項８〜１０のいずれかに記載の記録装置において、前記記録部に用いる記録媒体を、着脱可能な半導体メモリとしたことを特徴とする。
【００２９】
このような記録装置では、一時記憶部に記憶されて記録すると判断された画像は、半導体メモリに記録される。
【００３０】
請求項１３に係る発明は、請求項８〜１０のいずれかに記載の記録装置において、前記記録部に用いる記録媒体を、磁気テープとしたことを特徴とする。
【００３１】
このような記録装置では、一時記憶部に記憶されて記録すると判断された画像は、磁気テープに記録される。
【００３２】
請求項１４に係る発明は、請求項１〜７のいずれかに記載の記録方法で記録された複数の画像を、所定の要件下で再生することを特徴とする。
【００３３】
このような再生方法では、インターバル記録された夫々の画像を見ることができる。
【００３４】
請求項１５に係る発明は、請求項１４に記載の再生方法において、夫々の前記画像を、記録時の順番に一定時間ずつ再生して動画としたことを特徴とする。
【００３５】
このような再生方法では、インターバル記録された夫々の画像のひとつひとつが一定時間ずつ順番に再生されるので、動画として見ることができる。
【００３６】
請求項１６に係る発明は、請求項１４に記載の再生方法において、夫々の前記画像を、記録時の順番に現実のインターバル時間ずつ再生して動画としたことを特徴とする。
【００３７】
このような再生方法では、インターバル記録された夫々の画像のひとつひとつが、現実のインターバル時間経過後に順番に再生されるので、現実に起こった状態を再現したような動画として見ることができる。
【００３８】
請求項１７に係る発明は、請求項１４に記載の再生方法において、夫々の前記画像を、静止画として再生することを特徴とする。
【００３９】
このような再生方法では、インターバル記録された夫々の画像のひとつひとつを、静止画として見ることができる。
【００４０】
請求項１８に係る発明は、請求項１６に記載の再生方法において、前記現実のインターバル時間は、再生する画像から読み取ることを特徴とする。
【００４１】
このような再生方法では、これから再生する画像から、再生時間を読み取ることができる。
【発明の効果】
【００４２】
本発明に係る記録方法及び記録装置と再生方法によれば、画像を一時記憶した後に該画像を記録するか否かの判断を行い、該判断は、前回記録すると判断した画像と今回一時記憶した画像とを比較し、該比較する画像どうしの間に所定の変化があった場合にのみ記録する判断を行うので、変化量がある程度大きい場合にのみ記録され、前回記録すると判断された画像に対して変化量の少ない画像は記録すると判断されず、記録媒体の使用容量の無駄が生じない。
【００４３】
また、従来のように同じような画像が多数並ぶということがないので、特異な変化のあった画像を探し出す場合に、捜す手間が少なくて済む。
【発明を実施するための最良の形態】
【００４４】
以下、本発明による記録方法及び記録装置と再生方法の実施の形態を説明する。
【００４５】
この実施の形態では、最初に記録・再生装置の構成を説明し、その後に、該記録・再生装置による記録方法と、再生方法とについて説明する。
【００４６】
まず、記録・再生装置の構成を、図１に基づいて説明する。記録・再生装置１は、画像を記録する記録ユニット１ａと、画像を再生する再生ユニット１ｂとによって構成されている。
【００４７】
最初に記録ユニット１ａについて説明する。被写体を撮像するビデオカメラとして、ＣＣＤカメラを備えたカメラブロック２が設けられている。カメラブロック２には、カメラブロック２から出力する画像信号を所定のサンプリングレートに変換するサンプリングレート変換部３が接続されている。サンプリングレート変換部３には、サンプリングレート変換部３から出力する画像信号を所定の帯域圧縮等の信号処理するビデオエンコーダ４が接続されている。ビデオエンコーダ４には、ビデオエンコーダ４から出力する画像信号を一時的に記憶する一時記憶部５が接続されている。一時記憶部５は、ビデオエンコーダ４から出力する画像信号をインターバル時間毎に間欠的に一時的に記憶する半導体メモリ５ａと、該半導体メモリ５ａへの画像信号の書き込みおよび読み出しを制御するメモリ制御部５ｂとで構成される。一時記憶部５には、一時記憶部５からの画像信号を記録する記録部６が接続されている。記録部６で用いる記録媒体としては、例えばハードディスク，着脱可能な半導体メモリ，磁気テープ等があり、本実施の形態ではハードディスクが用いられている。なお、磁気テープを使用する場合は、デジタル信号をアナログ信号に変換する変換部が必要になる。
【００４８】
このあと、続けて再生ユニット１ｂについて説明する。前記記録部６は、記録媒体の再生を行う再生部としても機能する。この記録部６には、記録部６から出力された画像信号により画像を表示する表示部７が接続されている。この表示部７は、画像信号を可視化して表示するためのディスプレイを備えている。このディスプレイは、高解像度のカラー液晶のディスプレイであり、撮影時にカメラブロック２から一時記憶部５へ流れるスルー画像をも表示するために、表示部７は一時記憶部５にも接続されている。そして、記録ユニット１ａ及び再生ユニット１ｂを制御する制御部８が設けられている。制御部８は、例えばマイクロプロセッサ等によってなり、一時記憶部５，記録部６，表示部７に接続されている。この、表示部７にはシステム情報も表示される。
【００４９】
次に、制御部８の機能について説明する。制御部８は、インターバル時間毎に間欠的に、メモリ制御部５ｂに指令を出すことにより、ビデオエンコーダ４からの画像信号を半導体メモリ５ａに転送させ、一時記憶させる。半導体メモリ５ａは、これらの画像データを記憶するための十分な容量を有する。また、制御部８は、メモリ制御部５ｂに指令を出すことにより、半導体メモリ５ａに一時記憶されている画像信号を読み出し、記録するか否かの判断を行ったのちに、記録部６に記録する。その際に、前回記録すると判断した画像と今回一時記憶した画像との比較解析を行なう。そして、比較する画像どうしの後述する差分値が、画像を削除するかどうか判断するための所定値１よりも大きく、インターバル時間を短く再設定するかどうかを判断するための所定値２よりもほぼ小さい画像のみを、記録するとして判断し、記録部６に出力させる。また、カメラブロック２からのスルー画像を表示部７へ出力するように制御する。制御部８には、前記インターバル時間，前記所定値１，前記所定値２等がパラメータとして設定される。このほか、制御部８は再生のための制御も行ない、記録部６から画像データを読み出し、表示部７に表示する。
【００５０】
次に、上記の記録・再生装置を用いてインターバル記録を行う場合の記録方法を、図２のフローチャートに基づいて説明する。
【００５１】
まず、ステップＳ１において、インターバル記録を行う際の制御部８の各種パラメータを設定する。このパラメータの初期設定値としては、例えば記録（一時記憶）と記録（一時記憶）との間のインターバル時間（ｔ）、半導体メモリ５ａに一時記憶した画像を記録するか否か判断するために使用する差分値としての（所定値１）、インターバル時間を短くする再設定を行うか否かを決めるために使用する差分値としての（所定値２）、半導体メモリ５ａに一時的に記憶する画像の所定枚数（ｍ）、半導体メモリ５ａに一時的に記憶した画像を削除し得る枚数としての規定値（ｎ）等がある。これらの設定値は、ユーザーが直接に入力しても良いが、システム側で予め準備した値を選択させるようにしても良い。所定値１の値は被写体に応じて予め準備され、例えば花の開花の状態は、変化する動きの度合いが少ないので、所定値１として小さな数値が準備され、交差点などの状態は、変化する動きの度合いが大きいので、所定値１として大きな数値が準備されている。所定値１を設定する際に迷いが生じないという効果がある。
【００５２】
次に、ステップＳ２において、インターバル記録が開始され、前記インターバル時間（ｔ）が経過したか否かを、メモリ制御部５ｂが監視する。メモリ制御部５ｂの制御は、制御部８からの指令に基づいて行われる。インターバル時間（ｔ）が経過した場合は、ステップＳ３において、ビデオエンコーダ４から出力した画像信号を、半導体メモリ５ａに一時記憶として書き込むように、メモリ制御部５ｂが要求する。次に、ステップＳ４において、メモリ制御部５ｂが前回一時記憶して記録することを判断した画像と今回一時記憶した画像との比較を行い、画像の差分値を数値として求める。
【００５３】
差分値は、例えば以下のようにして求めることができる。図４に示すように、比較する２つの画像を（ａ１）（ｂ１）とする時に、画像（ａ１）（ｂ１）を夫々縦にｎ等分しかつ横にｍ等分して（ａ２）（ｂ２）に示すように複数のブロックに分割し、対応する夫々のブロックどうしを比較したときに、画像が一致しないブロックの数を数えてその数を差分値とする。例えば（ａ２）（ｂ２）において、Ｇ１，Ｇ２の２つのブロックが相互に一致しないブロックであり、差分値は「２」となる。
【００５４】
ステップＳ５において、ステップＳ４で求めた差分値と前記所定値１との比較を行う。そして、差分値が所定値１よりも小さい場合は、ステップＳ６において、一時記憶された画像を削除する。このとき、メモリ制御部５ｂにより、削除された画像の枚数がカウントされており、ステップＳ７に示すように削除した画像の枚数が前記規定値（ｎ）を越えた時には、ステップＳ８において、各種パラメータの再設定が行われる。つまり、削除枚数が多いということは、画像に変化がないということであり前記インターバル時間（ｔ）を長くすると共に、（所定値１）（所定値２）の値を変更したりする操作が自動的に行われる。また、現在時点までにカウントされた削除枚数のクリアが行なわれる。
【００５５】
差分値が所定値１よりも大きい場合は、ステップＳ９において、差分値と（所定値２）とが比較され、差分値が所定値２よりも大きい場合は、ステップＳ１０において、各種パラメータの再設定が行われる。つまり、差分値が大きいということは画像の変化量が大き過ぎるということなので、差分値を小さくするために、前記インターバル時間（ｔ）を短くすると共に、（所定値１）（所定値２）の値を変更したりする操作が自動的に行われる。
【００５６】
差分値が所定値２よりも小さい画像だけでなく、一時記憶されて前記のように差分値が所定値２よりも大きいと判断された画像も、一時記憶された画像は記録部６に記録すると判断される。つまり、前回記録されると判断された画像と今回一時記憶された画像との差分が、小さ過ぎずかつ大き過ぎず、略一定の範囲に収まるものが記録するものとして判断され、前回記録すると判断された画像に対して所定の変化のある画像のみが記録されることになる。
【００５７】
一時記憶されて今回記録すると判断された画像が、２回目以降の画像である場合は、メモリ制御部５ｂが、前回記録すると判断された画像と今回記録すると判断された画像とのインターバル時間を、前回記録すると判断された画像に関連付けて、前回記録すると判断された画像に記録する。なお、１回目の画像は必ず記録しなければならないので、１回目の画像の差分値は、最大の値に設定される。
【００５８】
そして、ステップＳ１１において、半導体メモリ５ａに一時記憶された画像の枚数が、所定枚数（ｍ）に到達したか否かが判断され、到達していた場合はステップＳ１２において、メモリ制御部５ｂが半導体メモリ５ａに一時記憶された画像の画像信号を呼び出し、記録部６の記録媒体であるハードディスクに一括して記録する。ある程度まとまってから記録するので、煩雑さが解消される。所定枚数（ｍ）に到達していない場合は、到達するまで、ステップＳ２〜Ｓ１０の処理を繰り返す。
【００５９】
ステップＳ１３において、最後に記録部６に記録した画像は、半導体メモリ５ａの記録エリアとは異なる別のアドレスのエリアへコピーし、半導体メモリ５ａの記録エリアの画像は全て削除される。別のアドレスのエリアへコピーした画像は、次回のインターバル記録時に、ステップＳ４において、画像の比較を行うために「前回撮影した画像」として用いられる。
【００６０】
最後に、ステップＳ１４において、記録終了の判断を行い、記録終了でなければ、ステップＳ２〜Ｓ１３までの処理を繰り返し、インターバル記録を継続する。
【００６１】
次に、上記の記録・再生装置を用いてインターバル記録を行った画像を、再生するための再生方法を、図３のフローチャートに基づいて説明する。
【００６２】
ステップＳ２１においてモード選択を行い、通常再生モードと特殊再生モードとの２つのモードから、希望するモードを選択する。通常再生モードを選択した場合は、ステップＳ２５において、制御部８に対して１フレームの再生時間（Ｔ１）を設定する。１フレームの再生時間とは、１枚の画像を再生している時間をいう。次に、ステップＳ２６において、制御部８の制御により画像が再生され、再生部を兼用する記録部６から画像データが取り出され、表示部７に表示される。そして、ステップＳ２７において、設定した再生時間（Ｔ１）が経過すると、ステップＳ２８において、記録部６に再生すべき画像が残っているか判断する。画像が残っていればステップＳ２６へ戻って繰り返し再生を行い、残っていなければ再生処理を終了する。この通常再生モードによる再生の場合は、夫々の画像は、記録時の順番に一定時間ずつ再生され、一定の動きのある動画として見ることができる。
【００６３】
ステップＳ２１において特殊再生モードを選択した場合は、ステップＳ２２において、制御部８が、再生しようとする画像に記録されているインターバル時間（Ｔ２）を読み取り、画像を再生する。インターバル時間（Ｔ２）が画像に記録されていない場合は、システムが有する特定の値を代用する。この値は特に限定されず、どのような値でも良い。そして、ステップＳ２３において、設定したインターバル時間（Ｔ２）が経過したら、ステップＳ２４において、記録部６に再生すべき画像が残っているか判断する。画像が残っていればステップＳ２２へ戻って繰り返し再生を行い、残っていなければ再生処理が終了する。この特殊再生モードによる再生の場合は、夫々の画像は、記録時の順番に現実のインターバル時間（Ｔ２）が経過した後に順次に再生されて通常の動画とよく似た動画として見ることができる。インターバル時間は現実のインターバル時間そのものなので、現実の時間経過と同じに再現される。しかも、通常の動画記録を行う場合に比べ、記録媒体の記録容量を大幅に節約することができる。
【００６４】
図３のフローチャートは、夫々の画像を動画として再生するものであるが、夫々の画像を静止画として再生することもできる。
【００６５】
なお、本実施の形態では、記録装置と再生装置とを一体化して記録・再生装置としたが、記録装置と再生装置とを別々に設けても良い。
【図面の簡単な説明】
【００６６】
【図１】本発明に係る記録・再生装置の構成図（実施の形態）。
【図２】本発明に係る記録方法を説明するためのフローチャート図（実施の形態）。
【図３】本発明に係る再生方法を説明するためのフローチャート図（実施の形態）。
【図４】画像どうしの差分値の求め方の一例を示し、（ａ１）（ｂ１）は比較すべき画像であり、（ａ２）（ｂ２）は夫々ブロックに分割したブロック図（実施の形態）。
【符号の説明】
【００６７】
１…記録・再生装置
１ａ…記録ユニット
１ｂ…再生ユニット
２…カメラブロック
５…一時記憶部
６…記録部
７…表示部
８…制御部
【図１】
2005328404.tif 000003
【図２】
2005328404.tif 000004
【図３】
2005328404.tif 000005
【図４】
2005328404.tif 000006